(57)【要約】【課題】固体高分子型の燃料電池を有する小形で大容量な携帯機器用電源を提供する。【解決手段】水素吸蔵合金１５を収納する水素貯蔵容器２と、イオン伝導性固体高分子膜１２ａ，１２ｂの両側に一対の触媒電極１０ａと１１ａおよび１０ｂと１１ｂが配置された膜電極体１３ａ，１３ｂを有する単セルを備え、膜電極体で水素貯蔵容器の壁の少なくとも一部を構成するように膜電極体が水素貯蔵容器に配置された燃料電池とを具備し、一対の触媒電極のうちの一方の触媒電極１１ａ，１１ｂのイオン伝導性固体高分子膜と反対側の面が水素貯蔵容器内部の雰囲気に曝され、他方の触媒電極１０ａ，１０ｂのイオン伝導性固体高分子膜と反対側の面が水素貯蔵容器外部の雰囲気に曝されるように構成した。【選択図】        図２
2004247242.tif 000002
【特許請求の範囲】
【請求項１】
水素吸蔵合金を収納する水素貯蔵容器と、イオン伝導性固体高分子膜の両側に一対の触媒電極が配置された膜電極体を有する単セルを備え、前記膜電極体で前記水素貯蔵容器の壁の少なくとも一部を構成するように前記膜電極体が前記水素貯蔵容器に配置された燃料電池とを具備し、前記一対の触媒電極のうちの一方の触媒電極の前記イオン伝導性固体高分子膜と反対側の面が前記水素貯蔵容器内部の雰囲気に曝され、前記一対の触媒電極のうちの他方の触媒電極の前記イオン伝導性固体高分子膜と反対側の面が前記水素貯蔵容器外部の雰囲気に曝されるように構成したことを特徴とする携帯機器用電源。
【請求項２】
燃料電池は前記単セルを複数個備え、前記各単セルは電気的に直列に接続されていることを特徴とする請求項１記載の携帯機器用電源。
【請求項３】
前記水素貯蔵容器は直方体形状であり、前記水素貯蔵容器の対向する２つの壁の少なくとも一部を構成するようにそれぞれ前記膜電極体が前記水素貯蔵容器に配置されていることを特徴とする請求項１または２記載の携帯機器用電源。
【請求項４】
前記触媒電極の水素貯蔵容器内部の雰囲気に曝される面と前記水素吸蔵合金との間に水素透過フィルターを設けたことを特徴とする請求項１ないし３の何れかに記載の携帯機器用電源。
【請求項５】
請求項１ないし４の何れかに記載の携帯機器用電源を駆動源としたことを特徴とする携帯機器。
【発明の詳細な説明】
【０００１】
【発明の属する技術分野】
この発明は、携帯電話やノート型ＰＣ（パーソナルコンピュータ）などの携帯機器に用いられる、固体高分子型燃料電池を有する電源に関し、特にその小型化に関するものである。
【０００２】
【従来の技術】
携帯電話やノート型ＰＣなどの携帯機器の電源としては、良く知られているように、ニッケル水素二次電池やリチウムイオン二次電池などの二次電池と充電アダプターとから成る電源システムが広く用いられている。
近年、携帯機器の高機能化に伴う消費電力の増大、携帯電話のインターネット接続、無線ＬＡＮや地上波ディジタルテレビ放送などの普及による携帯機器の常時使用、駆動時間の長時間化から、従来の二次電池では容量が不足し、携帯機器の機能を充分に発揮できない恐れが出てきている。このような状況に対して、水素と空気を用いて発電する超小型の燃料電池を用いた電源が提案されている。
【０００３】
従来の燃料電池を用いた携帯機器用電源の例として、燃料電池用水素供給システムでは、固体高分子型の燃料電池と、その燃料電池に供給する水素を吸蔵させるための水素吸蔵合金を収納する直方体形状の密閉可能容器と、前記密閉可能容器及び前記燃料電池間の水素流通経路に設けられ、前記密閉可能容器と前記燃料電池とを脱着可能に接続する接続部と、前記水素流通経路に設けられ、水素ガスの開閉を行う弁機構と、前記水素流通経路に設けられ、水素ガスの流量を制御する水素流量制御機構、及び／又は水素ガスの圧力を制御する水素圧力制御機構とを備えている（例えば、特許文献１参照）。
【０００４】
水素と空気を用いて発電する燃料電池を用いたこのような携帯機器用電源は、現状の二次電池に比べてエネルギー密度が高く、携帯機器の高機能化や長時間駆動を可能にする。
【０００５】
【特許文献１】
特開平１０−０６４５６７号公報（第２−８頁、第１，１５図）
【０００６】
【発明が解決しようとする課題】
しかしながら、上記の従来例では、水素吸蔵合金を収納する密閉可能容器から燃料電池へ水素を送るために配管を用いており、配管のスペースを確保しなければならないため、携帯機器用電源を小形化できないという問題があった。
【０００７】
本発明は、上記のような問題点を解決するためになされたものであり、固体高分子型の燃料電池を有する小形で大容量な携帯機器用電源を提供することを第１の目的とする。
【０００８】
また、高機能で長時間駆動が可能な携帯機器を提供することを第２の目的とする。
【０００９】
【課題を解決するための手段】
この発明に係る携帯機器用電源は、水素吸蔵合金を収納する水素貯蔵容器と、イオン伝導性固体高分子膜の両側に一対の触媒電極が配置された膜電極体を有する単セルを備え、前記膜電極体で前記水素貯蔵容器の壁の少なくとも一部を構成するように前記膜電極体が前記水素貯蔵容器に配置された燃料電池とを具備し、前記一対の触媒電極のうちの一方の触媒電極の前記イオン伝導性固体高分子膜と反対側の面が前記水素貯蔵容器内部の雰囲気に曝され、前記一対の触媒電極のうちの他方の触媒電極の前記イオン伝導性固体高分子膜と反対側の面が前記水素貯蔵容器外部の雰囲気に曝されるように構成したものである。
【００１０】
また、この発明に係る携帯機器は、上記のような携帯機器用電源を駆動源とするものである。
【００１１】
【発明の実施の形態】
実施の形態１．
図１および図２は、この発明を実施するための実施の形態１による携帯機器用電源を説明するための図であり、より具体的には図１（ａ）は平面図、図１（ｂ）は正面図、図２は図１（ａ）のＡ−Ａ’線での断面図である。
【００１２】
本実施の形態による携帯機器用電源は、水素を燃料として発電する固体高分子型の燃料電池と水素吸蔵合金１５を収納する水素貯蔵容器２とを備えている。燃料電池は、イオン伝導性固体高分子膜１２ａ，１２ｂの両側に一対の触媒電極１０ａと１１ａおよび１０ｂと１１ｂが配置された膜電極体１３ａ，１３ｂを有する単セル５ａ，５ｂを備え、膜電極体１３ａ，１３ｂで水素貯蔵容器２の壁の一部を構成するように、膜電極体１３ａ，１３ｂが水素貯蔵容器２に配置されている。イオン伝導性固体高分子膜１２ａ，１２ｂの両側に配置された一対の触媒電極１０ａと１１ａおよび１０ｂと１１ｂのうちの一方の触媒電極１１ａ，１１ｂのイオン伝導性固体高分子膜１２ａ，１２ｂと反対側の面が水素貯蔵容器２内部の雰囲気に曝され、他方の触媒電極１０ａ，１０ｂのイオン伝導性固体高分子膜１２ａ，１２ｂと反対側の面が水素貯蔵容器２外部の雰囲気に曝されるように構成されている。
【００１３】
本実施の形態では、水素貯蔵容器２は直方体形状の気密容器である。本実施の形態では、燃料電池は２個の単セル５ａと５ｂが電気的に直列に接続されて燃料電池セル１を構成しており、燃料電池はこの燃料電池セル１で構成されている。
単セル５ａ，５ｂは、それぞれの触媒電極１０ａと１１ａおよび１０ｂと１１ｂに電気的に接続された出力端子７ａと６および６と７ｂを有しており、出力端子（接続導体）６は触媒電極１１ａと１０ｂとを接続している。
また、水素貯蔵容器２には常には閉じており水素充填時に開となる水素充填孔８が設けられている。
【００１４】
さらに詳細に説明すると、燃料電池（燃料電池セル１）は、図２に示すように、基板９の上に構成された２個の単セル５ａ，５ｂからなる。本実施の形態では、膜電極体１３ａ，１３ｂは、イオン伝導性固体高分子膜１２ａ，１２ｂの両側に触媒電極１０ａと１１ａおよび１０ｂと１１ｂが接合された状態で形成されており、膜電極接合体となっている。
膜電極接合体１３ａ、１３ｂの触媒電極１１ａ、１１ｂのイオン伝導性固体高分子膜１２ａ，１２ｂと反対側の面と当接する部分、すなわち、膜電極接合体１３ａ，１３ｂの触媒電極１１ａ，１１ｂに対応する基板９の部分、にはそれぞれ孔（細孔）１４ａ，１４ｂが設けられており、触媒電極１１ａ，１１ｂのイオン伝導性固体高分子膜１２ａ，１２ｂと反対側の面が水素貯蔵容器２内部の雰囲気に曝されている、すなわち、触媒電極１１ａ，１１ｂは実質的に水素貯蔵容器２内部の雰囲気に曝されている。また、触媒電極１０ａ，１０ｂのイオン伝導性固体高分子膜１２ａ，１２ｂと反対側の面が水素貯蔵容器２外部の雰囲気に曝されている、すなわち、触媒電極１０ａ，１０ｂは実質的に水素貯蔵容器２外部の雰囲気に曝されている。
【００１５】
膜電極接合体１３ａの実質的に水素貯蔵容器２外部の雰囲気に曝されている触媒電極１０ａと出力端子７ａとは電気的に接続されており、また膜電極接合体１３ｂの実質的に水素貯蔵容器２内部の雰囲気に曝されている触媒電極１１ｂと出力端子７ｂは電気的に接続されている。膜電極接合体１３ａの実質的に水素貯蔵容器２の内部に曝されている触媒電極１１ａと膜電極接合体１３ｂの実質的に水素貯蔵容器２の外部に曝されている触媒電極１０ｂは接続導体６で電気的に接続されている。
【００１６】
基板９は水素貯蔵容器２に固定（例えば固着）されており、膜電極接合体１３ａ、１３ｂは基板９に固着されている。出力端子７ａ，７ｂはそれぞれ触媒電極１０ａ，１１ｂに電気的および機械的に接続されると共に、基板９にも固着されている。また、接続導体６は触媒電極１０ｂと１１ａに電気的および機械的に接続されている。接続導体６をさらに基板９にも固着してもよい。
【００１７】
なお、基板９の材料としては、プラスチック、セラミックス、金属等を用いることができるが、導電性材料を用いる場合には、単セル５ａと５ｂとが基板９を通じて短絡するのを防止するため、導電性材料の上に電気絶縁層を設け、電気絶縁層上に膜電極接合体１３ａ、１３ｂおよび出力端子７ａ、７ｂ等を固定するとよい。
【００１８】
次に動作について説明する。水素貯蔵容器２の水素充填孔８より水素を充填すると水素貯蔵容器２内の水素吸蔵合金１５は水素を吸蔵し、水素吸蔵合金の種類に応じた平衡圧力で水素を放出する。放出された水素は、基板９の細孔１４ａ，１４ｂを通って触媒電極１１ａ，１１ｂに達する。一方、水素貯蔵容器２の外部に実質的に曝されている触媒電極１０ａ，１０ｂには空気中の酸素が接している。この結果、膜電極接合体１３ａでは触媒電極１１ａを基準として触媒電極１０ａにプラスの電圧が現れる。また膜電極接合体１３ｂでは触媒電極１１ｂを基準として触媒電極１０ｂにプラスの電圧が現れる。膜電極接合体１３ａの触媒電極１１ａと膜電極接合体１３ｂの触媒電極１０ｂは接続導体６で電気的に接続されているため、すなわち単セル５ａと５ｂが直列に接続されているため、出力端子７ｂを基準に出力端子７ａにプラスの電圧が現れる。
【００１９】
出力端子７ａ，７ｂに負荷が接続されていない時（携帯機器の電源が切られているとき）は燃料電池（燃料電池セル１）で水素は消費されないが、出力端子７ａ，７ｂに負荷が接続されると（携帯機器の電源が入れられると）、電流が流れて負荷に電力が供給される。発電に従って触媒電極１１ａ，１１ｂでは水素が消費されるが、水素吸蔵合金１５が水素圧力を平衡圧力に維持するように水素を放出するため、水素吸蔵合金１５に吸蔵されている水素が無くなるまで、触媒電極１１ａ，１１ｂには水素が供給され続け、発電が継続されて携帯機器を駆動し続けることができる。
【００２０】
このように、本実施の形態によれば、水素貯蔵容器２から燃料電池（燃料電池セル１）へ水素を送る配管が無くとも燃料電池（燃料電池セル１）に水素を供給することができ、小形で大容量な携帯機用電源が得られる。
【００２１】
なお、上記実施の形態では、単セルが２つの例を示したが、単セルが１つでも３つ以上の場合でも同様に構成でき、直列に接続する単セルの数で出力電圧を調整して、必要に応じて高い電圧の携帯機器用電源が得られる。これは、以下の各実施の形態においても同様である。
【００２２】
また、上記実施の形態では、直方体形状の水素貯蔵容器２を示したが、角が曲線状となっているなど略直方体形状であればよい。さらに、円筒形状や楕円筒形状であってもよく、同様の効果が得られる。これは、以下の各実施の形態においても、特に断らない限り同様である。
【００２３】
実施の形態２．
図３は、この発明を実施するための実施の形態２による携帯機器用電源を説明するための断面図である。
上記実施の形態１では、基板９上に膜電極接合体１３ａ，１３ｂが自立的に固着されている構造を示したが、図３に示すように膜電極接合体１３ａ，１３ｂ上に押さえ板１６を設置し、支持部材１７を用いて膜電極接合体１３ａ，１３ｂを基板９と押さえ板１６で押さえ込むことにより膜電極接合体１３ａ，１３ｂを基板９に固定してもよい。
押さえ板１６の膜電極接合体１３ａ，１３ｂに対応する部分、すなわち、押さえ板１６の触媒電極１０ａ，１０ｂのイオン伝導性固体高分子膜１２ａ，１２ｂと反対側の面に当接する部分、には孔（細孔）１９ａ，１９ｂが設けられており、触媒電極１０ａ，１０ｂが水素貯蔵容器２の外部雰囲気に実質的に曝されている、すなわち、触媒電極１０ａ，１０ｂのイオン伝導性固体高分子膜１２ａ，１２ｂと反対側の面が水素貯蔵容器２外部の雰囲気に曝されている、ように構成されている。
【００２４】
なお、支持部材１７は、基板９と押さえ板１６間とを、所定の間隔に保った状態で固定できるものであればよく、例えばボルトとナット、両端が基板９と押さえ板１６とに接合された柱状部材等が挙げられる。
【００２５】
本実施の形態のように構成すると、膜電極接合体１３ａ，１３ｂに水素貯蔵容器２内部からかかる圧力に対して、膜電極接合体１３ａ，１３ｂを基板９に固定した状態で保持することが容易になる。
【００２６】
また、膜電極接合体１３ａ，１３ｂを基板９と押さえ板１６とで押さえ込むので、実施の形態１のように、イオン伝導性固体高分子膜１２ａ，１２ｂと触媒電極１０ａ，１１ａおよび１０ｂ，１１ｂとが必ずしもそれぞれ接合されていなくてもよい。
【００２７】
実施の形態３．
図４は、この発明を実施するための実施の形態３による携帯機器用電源を説明するための断面図である。
本実施の形態では、水素貯蔵容器２は直方体形状であり、水素貯蔵容器２の対向する２つの主壁（最も面積の大きな壁）の少なくとも一部を構成するようにそれぞれ膜電極体１３ａ，１３ｂおよび１３ｃ，１３ｄが水素貯蔵容器２に配置されている。
【００２８】
燃料電池セル１ａは、実施の形態１で示した燃料電池セル１と同様の構成を有しており、膜電極体１３ａ，１３ｂで直方体形状の水素貯蔵容器２の対向する一方の壁の一部を構成するように、膜電極体１３ａ，１３ｂが水素貯蔵容器２に配置されている。
燃料電池セル１ｂは、イオン伝導性固体高分子膜１２ｃ，１２ｄの両側に一対の触媒電極１０ｃと１１ｃおよび１０ｄと１１ｄが配置された膜電極体１３ｃ，１３ｄを有する単セル５ｃ，５ｄを備え、膜電極体１３ｃ，１３ｄで水素貯蔵容器２の対向する他方の壁の一部を構成するように、膜電極体１３ｃ，１３ｄが水素貯蔵容器２に配置されている。イオン伝導性固体高分子膜１２ｃ，１２ｄの両側に配置された一対の触媒電極１０ｃと１１ｃおよび１０ｄと１１ｄのうちの、一方の触媒電極１１ｃ，１１ｄのイオン伝導性固体高分子膜１２ｃ，１２ｄと反対側の面が水素貯蔵容器２内部の雰囲気に曝され、他方の触媒電極１０ｃ，１０ｄのイオン伝導性固体高分子膜１２ｃ，１２ｄと反対側の面が水素貯蔵容器２外部の雰囲気に曝されるように構成されている。
【００２９】
孔１４ａ，１４ｂが設けられた基板９ａ上に形成された２個の単セル５ａと５ｂが接続導体６ａによって直列に接続されて燃料電池セル１ａを構成し、孔１４ｃ，１４ｄが設けられた基板９ｂ上に形成された２個の単セル５ｃと５ｄが接続導体６ｂによって直列に接続されて燃料電池セル１ｂを構成しており、燃料電池は２個の燃料電池セル１ａと１ｂで構成されている。各燃料電池セル１ａ，１ｂの出力端子７ａ，７ｂと７ｃ，７ｄは、要求される出力電圧に応じて、２個の燃料電池セル１ａ，１ｂが直列あるいは並列に接続されるようにそれぞれ接続される。
【００３０】
本実施の形態のように構成すると、燃料電池（燃料電池セル１ａと１ｂ）の発電面積を広く取ることが可能になり、携帯機器用電源の高出力化または更なる小型化が図れる。
【００３１】
なお、図４では、各燃料電池セル１ａ，１ｂとして実施の形態１で示したのと同様に構成されたものを示したが、実施の形態２で示したのと同様に構成されたものであってもよいのは言うまでもない。
【００３２】
実施の形態４．
図５は、この発明を実施するための実施の形態４による携帯機器用電源を説明するための断面図である。
本実施の形態では、触媒電極１１ａ，１１ｂの水素貯蔵容器２内部の雰囲気に曝される面、すなわち、触媒電極１１ａ，１１ｂのイオン伝導性固体高分子膜１２ａ，１２ｂと反対側の面、と水素貯蔵容器２内に充填されている水素吸蔵合金１５との間に水素透過フィルター１８を設けた。
水素透過フィルター１８としては、多孔質金属やメッシュ金属、多孔質セラミックス、多孔質プラスチック、繊維状フィルターなどを用いることができる。
【００３３】
このような構成にすると、水素吸蔵合金１５が水素の吸放出により微粉化しても触媒電極１１ａ，１１ｂに接触することが無く、触媒電極１１ａ，１１ｂの被毒や逆に水素吸蔵合金１５の被毒などが阻止され、発電特性や水素吸蔵特性の劣化を防止することができる。その結果、信頼性の高い携帯機器用電源が得られる。
【００３４】
さらに、水素透過フィルター１８として、より好ましいのは、水素のみを透過するパラジウム系薄膜などであり、このようなパラジウム系薄膜などを用いれば、上記の効果に加えて、水素貯蔵容器２の外部から膜電極接合体１３ａ，１３ｂを逆浸透して水素貯蔵容器２の内部に侵入する水素以外のガス状異物も水素透過フィルター１８で遮蔽されるため、ガス状異物による水素吸蔵合金１５の被毒が防止できる。
【００３５】
なお、図５では、実施の形態１で説明した携帯機器用電源に水素透過フィルター１８を設けた場合について示したが、実施の形態２や３で説明した携帯機器用電源に水素透過フィルター１８を設けてもよく、同様の効果が得られるのは言うまでもない。
【００３６】
実施の形態５．
図６は、この発明を実施するための実施の形態５による携帯機器用電源を説明するための断面図である。
上記実施の形態１では、膜電極接合体（膜電極体）１３ａ，１３ｂで水素貯蔵容器２の壁の少なくとも一部を構成するように膜電極体１３ａ，１３ｂを水素貯蔵容器２に配置するのに、基板９に対して水素貯蔵容器２の外側に膜電極接合体１３ａ，１３ｂが位置するように配置しているが、本実施の形態では、図６に示すように、基板９に対して水素貯蔵容器２の内側に膜電極接合体１３ａ，１３ｂが位置するように配置している。
【００３７】
イオン伝導性固体高分子膜１２ａ，１２ｂの両側に配置された一対の触媒電極１０ａと１１ａおよび１０ｂと１１ｂのうちの、一方の触媒電極１１ａ，１１ｂのイオン伝導性固体高分子膜１２ａ，１２ｂと反対側の面が水素貯蔵容器２内部の雰囲気に曝され、他方の触媒電極１０ａ，１０ｂのイオン伝導性固体高分子膜１２ａ，１２ｂと反対側の面が基板９の孔１４ａ，１４ｂを通して水素貯蔵容器２外部の雰囲気に曝されるように構成されている。
【００３８】
このように構成すると、膜電極接合体１３ａ，１３ｂにかかる水素貯蔵容器２内の圧力が基板９で支えられるため、膜電極接合体１３ａ，１３ｂを保持することが容易になる。
【００３９】
なお、この構成においては、水素貯蔵容器２内に配置されている、すなわち、水素貯蔵容器２内部の雰囲気に曝されている、燃料電池セル１の各構成物の表面は電気的に絶縁しておくことが好ましく、触媒電極１１ａ，１１ｂのイオン伝導性固体高分子膜１２ａ，１２ｂと反対側の面には、水素が通過できるように通気性を有する電気絶縁体、すなわち、上記実施の形態４で説明した水素透過フィルター１８のうちの電気絶縁性のものを配置してもよい。
【００４０】
なお、図６では、燃料電池セル１として実施の形態１で示したのと同様に構成されたものを示したが、実施の形態２で示したのと同様に構成されたものであってもよく、また、実施の形態３で説明したように、水素貯蔵容器２の対向する２つの壁に配置してもよい。
【００４１】
なお、本発明は、固体高分子型の燃料電池と二次電池またはキャパシタとを組み合せたハイブリッドタイプの携帯機器用電源にも適用することができ、同様の効果が得られる。
【００４２】
なお、上記各実施の形態に示したような、本発明による携帯機器用電源は、ノート型ＰＣ、携帯電話、携帯情報端末、携帯通信機器、携帯オーディオ機器、ディジタルカメラ、ビデオカメラなど、さらには、ポータブルなプリンターやファクス、扇風機、保温保冷庫、アイロン、ポット、掃除機、炊飯器、電磁調理器、照明器具、ゲーム機やラジコンカーなどの玩具、電動工具など様々な携帯機器に使用でき、上記各実施の形態で説明したような小形で大容量の携帯機器用電源を搭載することにより、高機能で長時間駆動が可能な携帯機器が得られる。
【００４３】
【発明の効果】
以上のように、この発明によれば、水素吸蔵合金を収納する水素貯蔵容器と、イオン伝導性固体高分子膜の両側に一対の触媒電極が配置された膜電極体を有する単セルを備え、前記膜電極体で前記水素貯蔵容器の壁の少なくとも一部を構成するように前記膜電極体が前記水素貯蔵容器に配置された燃料電池とを具備し、前記一対の触媒電極のうちの一方の触媒電極の前記イオン伝導性固体高分子膜と反対側の面が前記水素貯蔵容器内部の雰囲気に曝され、前記一対の触媒電極のうちの他方の触媒電極の前記イオン伝導性固体高分子膜と反対側の面が前記水素貯蔵容器外部の雰囲気に曝されるように構成したので、小形で大容量な携帯機器用電源が得られる効果がある。
【００４４】
また、上記のような携帯機器用電源を駆動源とすることにより、高機能で長時間駆動が可能な携帯機器が得られる効果がある。
【図面の簡単な説明】
【図１】実施の形態１による携帯機器用電源を説明するための図であり、（ａ）は平面図、（ｂ）は正面図である。
【図２】実施の形態１による携帯機器用電源を説明するための図であり、図１（ａ）のＡ−Ａ’線での断面図である。
【図３】実施の形態２による携帯機器用電源を説明するための断面図である。
【図４】実施の形態３による携帯機器用電源を説明するための断面図である。
【図５】実施の形態４による携帯機器用電源を説明するための断面図である。
【図６】実施の形態５による携帯機器用電源を説明するための断面図である。
【符号の説明】
１，１ａ，１ｂ  燃料電池セル、２  水素貯蔵容器、５ａ〜５ｄ  単セル、６，６ａ，６ｂ  接続導体、７ａ〜７ｄ  出力端子、  ８  水素充填孔、９，９ａ，９ｂ  基板、１０ａ〜１０ｄ、１１ａ〜１１ｄ  触媒電極、１２ａ〜１２ｄ  イオン伝導性固体高分子膜、１３ａ〜１３ｄ  膜電極接合体、１４ａ〜１４ｄ，１９ａ，１９ｂ  孔、１５  水素吸蔵合金、  １８  水素透過フィルター。
【図１】
2004247242.tif 000003
【図２】
2004247242.tif 000004
【図３】
2004247242.tif 000005
【図４】
2004247242.tif 000006
【図５】
2004247242.tif 000007
【図６】
2004247242.tif 000008